(57)【要約】【課題】  構造が簡単で線型のモーターにより垂直型の振動を発生する線型のモータを具えた振動トレーニング装置を提供する。【解決手段】少なくとも２つ以上の平行で上方向へ直線状に排列したコイルを含んでなり、該コイルが電源に電気接続する位置決め部材と、  コイルの内部に設けられる少なくとも１以上の磁性体と、  コイルに流れ、適宜な間隔を置いてパルスを産み出して調節する電流と、利用者の体を支持するために供し、移動自在で磁性体を支持する平台とを含んでなる。【選択図】図２
2007330790.tif 000002
【特許請求の範囲】
【請求項１】
少なくとも２つ以上の平行で上方向へ直線状に排列したコイルを含んでなり、該コイルが電源に電気接続する位置決め部材と、
コイルの内部に設けられる少なくとも１以上の磁性体と、
コイルに流れ、適宜な間隔を置いてパルスを産み出して調節する電流と、
利用者の体を支持するために供し、移動自在で磁性体を支持する平台とを含んでなることを特徴とする線型のモータを具えた振動トレーニング装置。
【請求項２】
前記電流の調節が適宜にコイルに接続する交流電流であって、磁性体と平台を指示して迅速に垂直に往復し、周波数が２０〜６０HZの範囲内であることを特徴とする請求項１に記載の線型のモータを具えた振動トレーニング装置。
【請求項３】
隣接するコイルに設けられ電流限に電気接続した電流の導体と、
導体に接続し、適宜に間隔をおいて隣接する磁場を産み出し、交流電流に適応する導体を貫通する循環源と、
コイルの内部に設けられ、中間の磁場に達し、電流の循環で２つの方向に作用する力を生み出す磁性体とを含んでなることを特徴とする磁性体で平台に振動を伝達する線型のモータ。
【請求項４】
２つ以上の導体で形成されたコイルと、該コイルがいずれも垂直で上方へ直線状に排列し、それぞれのコイルが水平で平行な状態で内部空間に設けられる位置決め部材を含んでなり、そのうち内部空間に滑動自在に支持され、内部空間には１以上の磁性体と、該磁性体の位置がコイルに対して垂直な位置に設けられて相互的な作用を産み出し、
相互的な作用を形成して利用者を適宜に支持する平台とを含んでなり、そのうち間隔をおいて発生するパルスがコイルを介して平台に振動を与えることを特徴とする線型のモータが動力を供給する振動装置。
【請求項５】
一対以上の直線に排列して成形されたコイルと、
該コイルを支持するために供する座体と、
少なくとも１以上のコイルに合わせて設けられた１以上の磁性体とを含んでなり、電流がコイルの経路を通過すると、間隔をおいてエレクトロルミネセンスを発生して平台に衝突することを特徴とする利用者を支持する平台に振動を発生させる方法。
【請求項６】
前記１以上の磁性体が筒状の内部空間に設けられ、該内部空間にはコイルを排列して設ける座体を具えてなることを特徴とする請求項５に記載の利用者を支持する平台に振動を発生させる方法。
【請求項７】
前記１以上の磁性体が環状に取り巻かれたコイルの内部に設けられることを特徴とする請求項５に記載の利用者を支持する平台に振動を発生させる方法。
【請求項８】
前記座体がベースに固定されるとともに、１以上の磁性体はエレクトロルミネセンスで座体とベースに対向して移動することを特徴とする請求項６に記載の利用者を支持する平台に振動を発生させる方法。
【請求項９】
前記磁性体がベースに固定され、座体がエレクトロルミネセンスでベースと磁性体に対向して移動することを特徴とする請求項６に記載の利用者を支持する平台に振動を発生させる方法。
【請求項１０】
前記座体がベースに固定されるとともに、１以上の磁性体がエレクトロルミネセンスで座体とベースに対向して移動することを特徴とする請求項７に記載の利用者を支持する平台に振動を発生させる方法。
【請求項１１】
前記１以上の磁性体がベースに固定され、座体がエレクトロルミネセンスでベースと磁性体に対向して移動することを特徴とする請求項７に記載の利用者を支持する平台に振動を発生させる方法。
【請求項１２】
前記座体が可撓性を具えた線で電源に電気接続することを請求項９に記載の利用者を支持する平台に振動を発生させる方法。
【請求項１３】
前記座体が可撓性を具えた線で電源に電気接続することを特徴とする請求項１１に記載の利用者を支持する平台に振動を発生させる方法。
【請求項１４】
前記交流電流の動力源が電力で供給することを特徴とする請求項１に記載の線型のモータを具えた振動トレーニング装置。
【請求項１５】
前記交流電流源が電力により供給されることを特徴とする請求項３に記載の磁性体で平台に振動を伝達する線型のモータ。
【請求項１６】
前記交流電流の動力源が電力により供給されることを特徴とする請求項４に記載の線型のモータが動力を供給する振動装置。
【請求項１７】
前記２つ以上の磁性体がそれぞれの磁性体の間に磁性を排除して配置し、それぞれの磁性体が同じ極性を持って互いに隣接して接近することを特徴とする請求項１に記載の線型のモータを具えた振動トレーニング装置。
【請求項１８】
前記２つ以上の磁性体がそれぞれの磁性体の間に磁性を排除して配置し、それぞれの磁性体が同じ極性を持って互いに隣接して接近することを特徴とする請求項４に記載の線型のモータが動力を供給する振動機。
【発明の詳細な説明】
【技術分野】
【０００１】
この発明は、線型のモータを具えた振動トレーニング装置に関し、特に利用者の体に振動を加えてトレーニングする線型のモータを具えた振動トレーニング装置に関する。
【背景技術】
【０００２】
現在、線型のモータを具えた振動トレーニング装置と呼ばれる装置は、機械により利用者の筋肉を振動させて神経や筋肉に刺激を与える効果を達成する。振動の強さは器具が産み出す振動の頻度及び振幅によって決められる。該頻度とは振動発生手段が単位時間内に振動を発生させる周期を指し、振幅とは、周期的な振動における最大値と最小値の差の半分の値を指す。
【０００３】
線型のモータを具えた線型のモータを具えた振動トレーニング装置の生理的なメカニズムは、トレーニングを増強した方式の「牽引して循環を収縮させる方式」に似ているものであって、遠心収縮後に発生する中心に向けての収縮作用を利用し、弾性と延伸反射機の回転を通して筋肉に比較的大きな瞬発力を起こさせる。
【０００４】
従来の線型のモータを具えた振動トレーニング装置はほとんどが間接的な刺激方式を採用している。即ち、利用者はベース上に立ち、手でベースの外側に延伸して設けられたハンドルを握り、両足、或いは片足でベース上に立って、ベースから伝えられる振動を受けて全身を振動させる効果を達成する。これは全身を振動させる運動方法でＷＢＶ（Ｗｈｏｌｅ−Ｂｏｄｙ−Ｖｉｂｒａｔｉｏｎ）と呼ばれている。
【０００５】
しかしながら、前述の線型のモータを具えた振動トレーニング装置は振動を発生させる構造のほとんどがモーターで偏心手段を動かして偏った振動を発生させるため、該手段の構造が比較的複雑であるだけでなく、装置の体積も大きくなるため、運搬や収納に不便で実用的でない。
【発明の開示】
【発明が解決しようとする課題】
【０００６】
この発明は、構造が簡単で線型のモーターにより垂直型の振動を発生する線型のモータを具えた振動トレーニング装置を提供することを課題とする。
【課題を解決するための手段】
【０００７】
そこで本発明者は、従来の技術に鑑み鋭意研究を重ねた結果、少なくとも２つ以上の平行で上方向へ直線状に排列したコイルを含んでなり、該コイルが電源に電気接続する位置決め部材と、
コイルの内部に設けられる少なくとも１以上の磁性体と、
コイルに流れ、適宜な間隔を置いてパルスを産み出して調節する電流と、
利用者の体を支持するために供し、移動自在で磁性体を支持する平台とを含んでなる線型のモータを具えた線型のモータを具えた振動トレーニング装置の構造によって課題を解決できる点に着眼し、係る知見に基づき本発明を完成させた。
以下、この発明について具体的に説明する。
【０００８】
請求項１に記載する線型のモータを具えた振動トレーニング装置は、少なくとも２つ以上の平行で上方向へ直線状に排列したコイルを含んでなり、該コイルが電源に電気接続する位置決め部材と、
コイルの内部に設けられる少なくとも１以上の磁性体と、
コイルに流れ、適宜な間隔を置いてパルスを産み出して調節する電流と、
利用者の体を支持するために供し、移動自在で磁性体を支持する平台とを含んでなる。
【０００９】
請求項２に記載の線型のモータを具えた振動トレーニング装置は、請求項１に記載の電流の調節が適宜にコイルに接続する交流電流であって、磁性体と平台を指示して迅速に垂直に往復し、周波数が２０〜６０HZの範囲内である。
【００１０】
請求項３に記載の磁性体で平台に振動を伝達する線型のモータは、隣接するコイルに設けられ電流限に電気接続した電流の導体と、
導体に接続し、適宜に間隔をおいて隣接する磁場を産み出し、交流電流に適応する導体を貫通する循環源と、
コイルの内部に設けられ、中間の磁場に達し、電流の循環で２つの方向に作用する力を生み出す磁性体とを含んでなる。
【００１１】
請求項４に記載の線型のモータが動力を供給する振動装置は、２つ以上の導体で形成されたコイルと、該コイルがいずれも垂直で上方へ直線状に排列し、それぞれのコイルが水平で平行な状態で内部空間に設けられる位置決め部材を含んでなり、そのうち内部空間に滑動自在に支持され、内部空間には１以上の磁性体と、該磁性体の位置がコイルに対して垂直な位置に設けられて相互的な作用を産み出し、
相互的な作用を形成して利用者を適宜に支持する平台とを含んでなり、そのうち間隔をおいて発生するパルスがコイルを介して平台に振動を与える。
【００１２】
請求項５に記載の利用者を支持する平台に振動を発生させる方法は、一対以上の直線に排列して成形されたコイルと、
該コイルを支持するために供する座体と、
少なくとも１以上のコイルに合わせて設けられた１以上の磁性体とを含んでなり、電流がコイルの経路を通過すると、間隔をおいてエレクトロルミネセンスを発生して平台に衝突する。
【００１３】
請求項６に記載の利用者を支持する平台に振動を発生させる方法は、請求項５における１以上の磁性体が筒状の内部空間に設けられ、該内部空間にはコイルを排列して設ける座体を具えてなる。
【００１４】
請求項７に記載の利用者を支持する平台に振動を発生させる方法は、請求項５における１以上の磁性体が環状に取り巻かれたコイルの内部に設けられる。
【００１５】
請求項８に記載の利用者を支持する平台に振動を発生させる方法は、請求項６における座体がベースに固定されるとともに、１以上の磁性体はエレクトロルミネセンスで座体とベースに対向して移動する。
【００１６】
請求項９に記載の利用者を支持する平台に振動を発生させる方法は、請求項６における磁性体がベースに固定され、座体がエレクトロルミネセンスでベースと磁性体に対向して移動する。
【００１７】
請求項１０に記載の利用者を支持する平台に振動を発生させる方法は、請求項７における座体がベースに固定されるとともに、１以上の磁性体がエレクトロルミネセンスで座体とベースに対向して移動する。
【００１８】
請求項１１に記載の利用者を支持する平台に振動を発生させる方法は、請求項７における１以上の磁性体がベースに固定され、座体がエレクトロルミネセンスでベースと磁性体に対向して移動する。
【００１９】
請求項１２に記載の利用者を支持する平台に振動を発生させる方法は、請求項９における座体が可撓性を具えた線で電源に電気接続する。
【００２０】
請求項１３に記載の利用者を支持する平台に振動を発生させる方法は、請求項１１における座体が可撓性を具えた線で電源に電気接続する。
【００２１】
請求項１４に記載の線型のモータを具えた振動トレーニング装置は、請求項１における交流電流の動力源が電力で供給する。
【００２２】
請求項１５に記載の磁性体で平台に振動を伝達する線型のモータは、請求項３における交流電流源が電力により供給される。
【００２３】
請求項１６に記載の線型のモータが動力を供給する振動装置は、請求項４における交流電流の動力源が電力により供給される。
【００２４】
請求項１７に記載の線型のモータを具えた振動トレーニング装置は、請求項１における２つ以上の磁性体がそれぞれの磁性体の間に磁性を排除して配置し、それぞれの磁性体が同じ極性を持って互いに隣接して接近する。
【００２５】
請求項１８に記載の線型のモータが動力を供給する振動機は、請求項４における２つ以上の磁性体がそれぞれの磁性体の間に磁性を排除して配置し、それぞれの磁性体が同じ極性を持って互いに隣接して接近する。
【発明の効果】
【００２６】
この発明の線型のモータを具えた振動トレーニング装置は、振動発生手段の構造が簡単であるため、製造コストを抑えることができるという効果を有する。
【発明を実施するための最良の形態】
【００２７】
この発明は、線型のモータを具えた振動トレーニング装置であって、少なくとも２つ以上の平行で上方向へ直線状に排列したコイルを含んでなり、該コイルが電源に電気接続する位置決め部材と、
コイルの内部に設けられる少なくとも１以上の磁性体と、
コイルに流れ、適宜な間隔を置いてパルスを産み出して調節する電流と、
利用者の体を支持するために供し、移動自在で磁性体を支持する平台とを含んでなるという目的を達成した。
係る構成の線型のモータを具えた振動トレーニング装置について、その構造と特徴を詳述するために具体的な実施例を挙げ、以下に説明する。
【実施例】
【００２８】
図１は、この発明の線型のモータを具えた振動トレーニング装置を示したものである。図面によれば、ケーブルを有するモータは、平台２０の下方側面に隠れるように設けられる。該平台２０は表面に利用者が足を乗せて体を支持するために供しする。また、平台２０は、人、或いは動物など表面に立つ、乗せるなど支持する対象物の需要にあわせて形状を変化させることができ、掛ける方式に形成して設けてもよい。
【００２９】
また、線型のモータを具えた振動トレーニング装置１０は、底部側面が複数のフレーム４を組み合わせて形成したベース３で支持されている。該フレーム４は外側で上方へ縦方向に延伸する円柱９に接続する。該円柱９は上端に表示モニタ５を連結して支持する。表示モニタ５は利用者が線型のモータを具えた振動トレーニング装置を利用している間、様々な情報を表示するため、利用者が利用時間、振幅及び頻度などを知ることができる。
【００３０】
図２は、この発明の線型のモータを具えた振動トレーニング装置の線型のモータの活動部３０と位置決め手段２１とを示したものである。該位置決め手段２１は、筒状の座体２３を含んでなり、コイル体２２を位置決めして設けるために供する。
【００３１】
該コイル体２２は、複数の対になったコイルから形成する。それぞれの対になったコイルは、反対方向に巻かれた２つのコイルを一対として形成し、且つ一対のコイルは、それぞれのコイルの巻き始めの部分と巻き終わりの部分とが接続した導線であって、実施例の導線は銅線から形成する。また、位置決め手段２１は、座体２３を含んでなり、それぞれの対になったコイルを平行で適宜な位置に設ける。
【００３２】
図２は、活動部３０の上方へ縦方向に排列した複数の磁性を具えた磁性盤３１、３２、３３を示したものである。図面によれば、磁性盤３１、３２、３３は、下から上方に向けて、中、上の順に排列して磁性体を形成する。磁性盤３１は表・底面の両面がそれぞれ鋼盤４１Ｂ、４１Ａに積み重ねるように設けられ、磁性盤３２の両面がそれぞれ鋼盤４２Ｂ、４２Ａに、磁性盤３３の両面がそれぞれ鋼盤４３Ｂ、４３Ａに積み重ねるように設けられる。即ち、それぞれの磁性盤３１、３２、３３がサンドイッチのように鋼盤に挟まれるように設けられる。
【００３３】
該鋼盤は、このように特別な排列をして設けられるとともに、磁場を発生する磁性盤を合わせて隣接するコイルがエレクトロルミネセンスの影響で、中間に位置する鋼盤のエレクトロルミネセンスの効果を上昇させる作用を具えてなる。鋼盤が調整する最大限の磁束は、百アンペア内に設けられている。
【００３４】
これらの磁性盤３１、３２、３３は、磁束を発生し、図４に開示するように、サンドイッチのような構造を通してそれぞれの一側面を挟みこむように設けた鋼盤４１Ａ、４１Ｂ、４２Ａ、４２Ｂ、４３Ａ、４３Ｂも磁力を感知して磁性を具えるようになる。この発明では、それぞれの鋼盤と磁性盤とが適宜な距離を具えてコイル体の内部に設けられる。また、前述の部材を分解した状態は図２にすでに開示した。図４は、該鋼盤と磁性盤とを積み重ね、ネジ、及びナットなどの接続手段で線型のモータの中心に連結した状態を示したものである。
【００３５】
この発明の本体の構造は図２に開示するように、磁性盤３１、３２、３３と、対になった鋼盤４１Ａと４１Ｂ、４２Ａと４２Ｂ、４３Ａと４３Ｂとがいずれも互いに対応する位置に複数の排列した孔６２を形成する。磁性盤と鋼盤とを組み合わせて形成する活動部３０は、筒状の座体２３の内部空間に設けられるため、垂直方向への移動を達成することができる。図２に開示するように、コイル体２２は、コイル２２Ａ、２２Ｂ、２２Ｃ、２２Ｄとを含んでなり、座体２３から分離して形成される。
【００３６】
図２、図４は、前述の発明の本体の構造を示したものである。図面によれば、この発明の線型のモータを具えた線型のモータを具えた振動トレーニング装置は、磁性体を含む活動部と、コイル２２Ａ、２２Ｂ、２２Ｃ、２２Ｄから形成された円筒を呈する位置決め手段とを含んでなる。コイル２２Ａ、２２Ｂ、２２Ｃ、２２Ｄを中心に位置決めされた滑動自在の活動部の外側、及び外部電源がコイル体２２に電気接続していることを利用して、コイル体２２が通電され、磁性を感知反応を発生する。よって、中心に位置する活動部は、その外側に位置決めされたコイル体２２を具えてなり、磁性盤３１、３２、３３を含めて滑動させ、活動部の範囲内に電磁反応が発生する。
【００３７】
この発明の実施の範囲には、中心に静電部を設ける形態も含む。該静電部は垂直方向に滑動自在のコイルセットからなる少なくとも１以上の磁性体を含んでなり、電源コードに接続する。前述の構造を組み合わせて形成し、振幅を変更・制御する。即ち、制御インタフェイスを介して異なる電流をコイル２２Ａ、２２Ｂ、２２Ｃ、２２Ｄに流し、状況に対応して適宜な間隔を具えた電磁反応を発生して振幅する磁場を形成する。
【００３８】
座体２３に設けられるコイルは、座体２３の内部に固定部材で固定して設けるか、或いは座体２３の内部にか回動自在に設けてもよい。座体２３は通常、低カーボン材料など導磁性の材料から形成する。コイルは外側が、高分子のプラスチック材料など非導電性の材料で被覆される。
【００３９】
図２に開示するように、磁性盤３１、３２、３３は、特別な意味を具えて排列し、設けられている。即ち、該磁性盤は、磁性が抑えられるように隣接し、排列して設けられている。具体的に説明すれば、最も底部に位置する磁性盤３１と最も上方に位置する磁性盤３３は、それぞれＮ極とそのＳ極とを同じ方向に設ける。つまり、Ｎ極はいずれも上方向に、Ｓ極はいずれも下方向に設けられる。
【００４０】
しかしながら、磁性盤３２はＮ極とＳ極を反対方向に設ける。即ち、磁性盤３２はＮ極が下方向に、Ｓ極が上方向に設けられる。よって、磁性盤３２のＮ極が磁性盤３１のＮ極に対向し、磁性盤３３のＳ極が磁性盤３２のＳ極に対向するように設けられる。
【００４１】
前述の構造により極性が互いに反発する性質を利用して磁流が形成される。電流がコイルの経路を通して流れ、全体の電磁力が上昇される。前述の構造は、振幅を変化させる過程において磁性の緩衝を提供するとともに、該振幅の変化が線型のモータの活動部３０から平台２０へ伝えられ、活動部３０から電磁力を移動させる。
【００４２】
図３Ｂに開示するように、コイル体２２は、複数の反対方向に取り巻かれた対になったコイル２２Ａ、２２Ｂ、２２Ｃ、２２Ｄを含んでなる。それぞれ一対のコイルは、互いに電気接続する。コイル２２Ａはコイル２２Ｂに接続し、コイル２２Ｂはコイル２２Ｃに、コイル２２Ｃはコイル２２Ｄに接続する。また、最も上方に位置するコイル２２Ｄは、最も下方に位置するコイル２２Ａに電気接続するとともに、図３Ｂに開示するように、それぞれのコイルは電流が流れ循環する方向を示している。
【００４３】
座体２３は、磁性盤３１、３２、３３を支持し、供するために設けられる。座体２３は、活動部３０の内側に設けられ、コイル体２２の磁束上に電磁反応の磁界を形成する。特に磁性盤３１は、コイル２２Ａと２２Ｂの間に、磁性盤３２はコイル２２Ｂと２２Ｃの間に、磁性盤３３がコイル２２Ｃと２２Ｄとの間に設けられる。
【００４４】
前述のコイルは、取り巻きした形態に形成され、それぞれ磁場の発生を補助する。該磁場は磁性盤３１、３２、３３に伝達され、それぞれが対応して電磁反応を形成する。また、電流の流動にしたがって上方の平台２０に衝突する。
【００４５】
図２に開示するように、磁性盤３１、３２の極性と磁性盤３３の極性が上方からＮ−Ｓ、Ｓ−Ｎ、Ｎ−Ｓとなるように設けられる。それぞれの磁性盤は前述の方向に回転し、コイル２２Ａ−２２Ｂ、２２Ｂ−２２Ｃ、２２Ｃ−２２Ｄを対応して設け、コイル体２２が通電されると発生する磁束において、それぞれの磁性盤３１、３２、３３の極性の位置に従ってそれぞれの磁性盤３１、３２、３３が駆動され、上方の平台２０に衝突するために供する。
【００４６】
図３Ａは、この発明の座体２３の実施例を示したものである。図面によれば、座体２３は、内部に形成された内部空間５４と、該内部空間５４の中心に設けられた垂直柱５７と、該垂直柱５７を中心とし、その外側に形成された複数の凹溝５１とを具えてなる。該凹溝５１は、内部にバネ５０を支持するために供する。該バネ５０は、鋼盤４１Ｂに接触、支持するとともに、磁性盤３１、３２、３３と鋼盤４１Ａ、４２Ａ、４２Ｂ、４３Ａ、４３Ｂ、平台２０とを支持し、且つ位置決めする。
【００４７】
利用者が平台２０上に立っている場合、通常、線型のモータは挿入された状態になる。該垂直柱５７は、磁性盤３１、３２、３３と、鋼盤４１Ａ、４１Ｂ、４２Ａ、４２Ｂ、４３Ａ、４３Ｂ上に形成された孔に貫通され、磁性盤３１、３２、３３と、鋼盤４１Ａ、４１Ｂ、４２Ａ、４２Ｂ、４３Ａ、４３Ｂが滑動し、前述の部材が座体２３から抜け落ちることを防ぐ。
【００４８】
バネ５０は、線型のモータの活動部３０の周期に合わせて振動する。バネ５０が鋼盤４１Ｂに接触するという構造は、利用者を支持する、即ち、利用者が平台２０に立って平台２０に支えられているなどの状態において、磁性盤の位置を位置決めして維持するために供する。
【００４９】
図３Ｂは、コイル体２２、及びコイル２２Ａと２２Ｂ、コイル２２Ｂと２２Ｃ、コイル２２Ｃと２２Ｄが反対方向に取り巻かれている関係を示したものである。図面によれば、コイルは座体２３の内部で、且つ線型のモータの活動部３０の外周側面に設けられる（活動部３０は図２を参照する）。
【００５０】
図４は、図２に開示した線型のモータの活動部３０を示したものである。図４に開示する活動部３０は、底部から見た状態を示している。図４によれば、磁性盤３１、３２、３３と、鋼盤４１Ａ、４１Ｂ、４２Ａ、４２Ｂ、４３Ａ、４３Ｂとが集まって一つの部材を形成する。図４に開示する活動部３０は、圧力を受けて一つに押されている状態であって、磁性盤３１、３２、３３及び鋼盤４１Ａ、４１Ｂ、４２Ａ、４２Ｂ、４３Ａ、４３Ｂとがそれぞれ積み重なっている。よって、それぞれの磁性盤３１、３２、３３及び鋼盤４１Ａ、４１Ｂ、４２Ａ、４２Ｂ、４３Ａ、４３Ｂが、非常に接近した状態に設けられ、押し圧されて積み重ねられた磁性力を緩める。
【００５１】
抗回転突起物６０は、ネジ６１により活動部３０に固定される。該ネジ６１は固定されるとともに、それぞれの磁性盤と、鋼盤に形成された孔６２に貫通して設けられる。それぞれのネジ６１はいずれも活動部３０のもう一方の面に設けられたナット（図示しない）で固定され、積み重なった形状を維持し、抵抗する力を抑え、隣接する磁性盤が押し圧された積み重なった状態を介して磁性の流動を重要な位置に集める。また、抗回転突起物６０は、分配して同時に発生する方式でバネ５０の位置（バネは図３Ａ参照）と、内部のバネ５０の影響により磁性盤４３Ｂが回転することを防ぐ。
【００５２】
鋼盤は磁性盤に対応するそれぞれの面が磁性を具え、相反する面を以って磁性盤を安定して固定する。即ち、鋼盤４３Ａ、４３Ｂは磁性を具え、鋼盤４３Ａの底面及び鋼盤４３Ｂの上面の相反する面で磁性盤３３を固定し、鋼盤４２Ａ、４３Ｂは磁性を具えて相反する面を以って磁性盤３３を固定する。
【００５３】
鋼盤は磁性で固定されるとともに、突出物２０Ａで周囲が囲まれるように設けられる。該突出物２０Ａは平台２０の内側から延伸して形成される。磁性盤の磁力と、利用者の負荷により、隣接するそれぞれの鋼盤の間に隙間が保たれる。これは、それぞれの磁性盤の極性が同じことによる磁性の反発力によるものである。
【００５４】
また、硬質の複数の補助桿２０Ｂは、円の角度を等分するように、平台２０の底部内側に稜角状に分布して設けられ、平台２０の剛性を支持するために用いる。軸受け５８は、活動部３０の垂直柱５７に対する回転運動がスムーズになるように促進するし（垂直柱５７は図３Ａ参照）。該垂直柱５７は、軸受け５８の内側に対応する位置に内孔５７Ａを形成する。その他ベアリングなどの部材でも軸受け５８の代用として使用することができ、軸受け５８の形態に限らない。
【００５５】
この発明の線型のモータを具えた線型のモータを具えた振動トレーニング装置の線型のモータの操作は、コイルに送られる電流のパルスに伴って行われる。図２に開示するように、電線を取り巻いて形成した４つのコイル２２Ａ、２２Ｂ、２２Ｃ、２２Ｄが交流電流２６に接続して設けられる。該４つのコイルは３つの相反する方向に取り巻かれたコイルの先端と末端とを互いに接続して形成する。磁束を通してそれぞれのコイルに磁場が発生するとともに、磁場のほとんどが磁性盤の方向に沿って形成される。コイル２２Ａが発生する磁場のＳ極は垂直方向の直線で、磁性盤３１のＳ極よりも低くなり、上方向に磁性盤３１を離すために供する。また、コイル２２Ｂが産み出す磁場のＳ極は垂直方向の直線で、磁性盤３１のＮ極の上方に位置し、上方に磁性盤３１を吸着するために供し、上方向の反応力が平台２０に衝突する。
【００５６】
コイル２２Ｂが産み出す磁場のＮ極は垂直方向の直線で、磁性盤３２のＮ極よりも下方に位置し、上方向に磁性盤３２を離すために供する。また、コイル２２Ｃが産み出す磁場のＮ極は垂直方向の直線で、磁性盤３２のＳ極よりも上方に位置し、上方に磁性盤３２を吸着するために供し、上方向の反応力が平台２０に衝突する。
【００５７】
コイル２２Ｃが産み出す磁場のＳ極は垂直方向の直線で、磁性盤３３のＳ極よりも下方に位置し、上方向に磁性盤３３を分離するために供する。また、コイル２２Ｄが産み出す磁場のＳ極は垂直方向の直線で、磁性盤３３のＮ極の上方に位置し、上方向に磁性盤３３を吸着するために供し、上方向の反応力が平台２０に衝突する。
【００５８】
この発明では一般的な動力エネルギーの供給源が高圧輸送電線ネットからの交流電流である。該動力源が交流電流を受けると、交流電流を直流電流に転換し、発生した直流電流に伴って極めて低い波動が発生する。線型のモータの動力は、電圧の変化を制御することによる。また、振幅の周期は線型のモータが変化・制御した交流電流を線型のモータに供して異なる周期の条件を産み出す。流動波は正弦波を呈する動力源とする。
【００５９】
電流のパルス及び特に配置された磁性の位置に伴って、極性の反発、対立する極性の吸着のように上方向と下方向に交替し、平台２０に衝突するパルスを提供する。よって、コントローラー２７で振動の周期と振幅を設定する。
【００６０】
磁性を具え、上下面が挟まれて常に中間に位置するコイルは、最大利用効率で、磁性盤に伝達する力が参数である。該参数は磁束のコイルが反応して発生した流動する磁場である。それぞれのコイルが発生する磁場はＮ極とＳ極とを具えてなり、適宜な位置に設けられた磁性盤の関係とコイルは、電流がコイルで反応を生み出す過程における重要な鍵である。
【００６１】
線型のモータは平台２０で適宜に複数の項目の変化の負荷を調整する。線型のモータはより多くの動力を必要とし、平台２０上に立って動作をする人が行う同じ周期と幅広い位置の変化に対応する。該平台２０の位置の変化は、一部が平台２０の負荷に偏る位置で、線型のモータの動力を交流電流２６を通して供給する。平台２０に人が立っている場合の負荷重量は、全身的な振動トレーニングの需要により変化させる。
【００６２】
つまり、この発明では、予め設定された総合電力が線型のモータのコイル体２２に最初に適用される。線型のモータは作動状態において平台２０の位置を変化させる。利用者が位置の変化の度合いを設定する場合、図１に開示する表示モニタ５を操作して、振動を発生する線型のモータに適用する電流を設定する。
【００６３】
また、位置の変化の度合いを感知するスイッチは平台２０の振動を検知する。また、操作に反応している状態のコントローラーは位置の変化を感知するスイッチから感知した情報を送信するとともに、線型のモータの電流を調整して利用者の好みに合わせた位置の変化の度合いを達成する。
【００６４】
交流電流が供する線型のモータの制御形態は、この発明では図２に開示するように、コントローラー２７を使用して行う。コントローラー２７はコンピュータか、或いはマイクロ処理機か、或いは電動機か、或いは交流電流を制御できる設備や装置であればどのようなものでもよい。この発明の線型のモータは、どのような電圧が供する電流による操作にも対応するが、比較的好ましい操作状態は１２〜４００ボルトであって、最も好ましいモデルでは１００〜３００ボルトである。
【００６５】
図５は、図１に開示する表示モニタ５の平面の形態を示したものである。該表示モニタはこの発明の線型のモータを具えた線型のモータを具えた振動トレーニング装置上に設けられる。平台２０の振動の周波数は、２０〜６０ヘルツ（ＨＺ）に制御するなど制御・調整することができる。位置の変化の度合いは０．５〜６ｍｍに調整することができ、通常の振動時間は１分〜２０分である。
【００６６】
この発明の線型のモータを具えた振動トレーニング装置の線型のモータは、純粋な正弦波がない交流電流であり、線型のモータは回転する必要がないため、正弦波の電流の流入を必要としない。この発明における線型のモータは非常に実用的で、どのような形式の交流電流でも動力源として使用することができる。回転モータで必要な３つの磁束の位置決めを変化させて、１２０度の回転体にモータを設けて回転する目的を達成する。
【００６７】
この発明の優れた点を次に説明する。
１．この発明は線型のモータを通して振動トレーニングを行う。電力が線型のモータに供給されると、適宜に間隔をおいた垂直な単一方向の力が産み出される。該力が、利用者の体を支持している平台に伝送されて利用者が振動を受けて振動トレーニングの効果が達成される。よって、回転モータを運用して接続した複雑な接続桿を具えた構造とは異なり、この発明は構造が簡単で体積が小さく軽量であるとともに、組み立てコストを低減することができる。
２．回転モータは回転体と位置決め部材とを含んでなる。該回転体は導磁性を祖ねた材料から回転する部分を形成し、回転体の内部に設けられる位置決め部材はコイルを固定するために供する。外部から提供する電源は位置決め部材を介して磁力の相互作用を産み出し、回転体を回転させる。しかしながら、この発明では線型のモータを使用するため回転体を必要とせず、複数の磁性盤を含んでなる活動部を設け、電流が通過すると隣接するコイルが磁場を形成するために供する。この発明の磁性盤は永久磁石からなる磁性盤か、或いは電磁版であって、コイル体の内部に設けられる。該コイル体は複数の対になったコイルの先端を末端を接続して形成する。対になったコイルはそれぞれ２つの相反する方向に取り巻かれたコイルから形成する。磁性盤は極性が互いに相反するように積み重なっているため、外部電源が通過すると、コイルが間隔をおいて電磁反応を産み出し、利用者の体を支持する平台に垂直方向の反復した振動トレーニングを行う。
３．この発明はどのような交流電流でも使用することができる。交流電流の電源は一般的な電力源か、或いは直流電流を交流電流に転換したものでもよく、この発明ではいずれの電流も使用することができる。
【００６８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００６９】
【図１】この発明の線型のモータを具えた線型のモータを具えた振動トレーニング装置を示した斜視図である。
【図２】この発明の線型のモータを具えた線型のモータを具えた振動トレーニング装置の線型のモータに設ける磁性盤と鋼盤とを示した分解図である。
【図３Ａ】この発明の線型のモータを具えた線型のモータを具えた振動トレーニング装置の線型のモータの座体内部に設けるバネを示した斜視図である。
【図３Ｂ】この発明の線型のモータを具えた線型のモータを具えた振動トレーニング装置の線型のモータの座体内部に設けるコイル体を示した斜視図である。
【図４】この発明の線型のモータを具えた線型のモータを具えた振動トレーニング装置の線型のモータ内に設ける磁性盤と鋼盤とを示した斜視図である。
【図５】この発明の線型のモータを具えた線型のモータを具えた振動トレーニング装置の線型のモータを制御する表示モニタを示した平面図である。
【符号の説明】
【００７０】
１０       振動トレーニング装置
２０       平台
２０Ａ     突出物
２０Ｂ     補助桿
２１       位置決め手段
２２       コイル体
２２Ａ、２２Ｂ、２２Ｃ、２２Ｄ   コイル
２３       座体
２６       交流電流
２７       コントローラ
３         ベース
３０       活動部
３１、３２、３３    磁性盤
４         フレーム
４１Ａ、４１Ｂ、４２Ａ、４２Ｂ、４３Ａ、４３Ｂ 鋼盤
５         表示モニタ
５０       バネ
５１       凹溝
５４       内部空間
５７       垂直柱
５７Ａ     内孔
５８       軸受け
６０       抗回転突起物
６１       ネジ
６２       孔
７         ハンドル
９         円柱
【図１】
2007330790.tif 000003
【図２】
2007330790.tif 000004
【図３Ａ】
2007330790.tif 000005
【図３Ｂ】
2007330790.tif 000006
【図４】
2007330790.tif 000007
【図５】
2007330790.tif 000008